(57)【要約】【課題】各家庭や施設などで散髪や洗髪、洗面、その他の身体部分の洗浄、各種汚れ物の洗浄などを行う際に、美容師や理容師、介助者などの使用者が手軽に持ち運ぶことができると共に、各家庭や施設などの任意の場所で簡便に使用することのできる洗浄台を提供する。【解決手段】フレキシブルなシート状部材からなる凹形状の容器１０と、この容器１０を取付け対象に取付けるために容器１０に接続され、取付け対象の外周寸法に応じて周方向の長さを調整自在となっているベルト２０と、容器１０の外形を保持するためにベルト２０との接続部９以外の部分の外縁に沿って配置されるフレーム３０と、を備えている。【選択図】図１
0003179607.tif 000002
【実用新案登録請求の範囲】
【請求項１】
フレキシブルなシート状部材からなる凹形状の容器と、
前記容器を取付け対象に取付けるために該容器に接続され、取付け対象の外周寸法に応じて周方向の長さを調整自在となっているベルトと、
前記容器の外形を保持するために該容器のうち少なくとも前記ベルトとの接続部以外の部分の外縁に沿って配置されるフレームと、を備えている洗浄台。
【請求項２】
前記フレームのうち前記容器の中心に対して前記接続部と対向する部分には、容器の外縁に沿って配置されるフレームによって形成される平面に対して垂直方向であって、かつ容器の底部方向へ延びる脚部が設けられている請求項１に記載の洗浄台。
【請求項３】
前記脚部の端部には、該脚部に対して垂直方向へ延びる延設部が設けられている請求項２に記載の洗浄台。
【請求項４】
前記脚部は伸縮自在となっている請求項２または３に記載の洗浄台。
【請求項５】
前記洗浄台は、前記取付け対象に対する前記容器の位置を規定するために、前記フレームのうち前記容器の中心に対して対称となる部分に両端部が接続される別途のベルトを備えており、該別途のベルトを介して前記フレームが前記取付け対象に支持されている請求項１から４のいずれか一項に記載の洗浄台。
【請求項６】
前記容器は平面視で多角形状を呈しており、前記フレームは該多角形状を形成する容器の各辺に対応する分割片から構成されている請求項１から５のいずれか一項に記載の洗浄台。
【請求項７】
前記フレームのうち前記容器の中心に対して前記接続部と対向する部分には、クッション材が配設されている請求項１から６のいずれか一項に記載の洗浄台。
【考案の詳細な説明】
【技術分野】
【０００１】
本考案は洗浄台に関し、たとえば持ち運び自在な携帯式洗浄台に関するものである。
【背景技術】
【０００２】
従来、散髪やそれに伴う洗髪は、美容院や理容院などに出かけていき、美容師や理容師などに行ってもらうのが通常であった。
【０００３】
ところで、お年寄りや病人、怪我人などは、身体機能の低下や各種疾病、各種障害などの様々な要因によって、自ら美容院や理容院などに出かけていくことが困難な場合があるとともに、自ら洗髪を行うことすら難しい場合がある。また、たとえば地震や水害などの天災時には、健常者であっても美容院や理容院などで散髪や洗髪を行うことができない場合がある。
【０００４】
そこで、近年では、美容師や理容師、介助者などが各家庭や施設などを訪問して、お年寄りや病人、怪我人などの散髪や洗髪を行うサービスが注目されている。
【０００５】
このように各家庭や施設などで散髪や洗髪を行う際には、各家庭や施設などの風呂場や洗面所などを利用することが考えられるものの、お年寄りや病人、怪我人などに風呂場や洗面所などまで移動してもらうことが困難であるといった問題や、風呂場や洗面所などを汚してしまうといった問題などが生じ得る。そのため、美容師や理容師、介助者などが自ら散髪や洗髪に使用する道具や機材を持ち込み、各家庭や施設などの任意の場所で、お年寄りや病人、怪我人などの散髪や洗髪を行うことが望まれている。
【０００６】
このような要望に対し、特許文献１、２には、各家庭や施設などで散髪や洗髪を行う際に、美容師や理容師、介助者などが手軽に持ち運ぶことができる道具や機材が開示されている。
【０００７】
特許文献１に開示されているシャンプーハットは、ドーナツ盤状に形成されたハットの外周縁部に連接してビニール又はポリエチレン等の合成樹脂からなる筒状の袋体を設け、この袋体の略中央部に両手が別々に挿脱できる手挿入口を対向して設け、その袋体の底面に排水口を設けたものである。
【０００８】
また、特許文献２に開示されている携帯式シャンプー椅子は、背もたれ部を備える椅子と、この椅子によって支持される洗髪台とを有し、この洗髪台が、背もたれ部の頂部の後方であって椅子に座った被洗髪者の頭部の下方に水受け領域を形成する枠体と、この枠体によって支持されて水受け領域に水受けを形成する水受け部とを有し、この水受け部がシート状材料で形成されて前記枠体に着脱自在に取付けられているものである。
【先行技術文献】
【特許文献】
【０００９】
【特許文献１】実開平３−９０５号公報
【特許文献２】特開２００２−１５３３１５号公報
【考案の概要】
【考案が解決しようとする課題】
【００１０】
特許文献１に開示されているシャンプーハットによれば、このシャンプーハットを帽子状に着用することによって頭髪部分と両手が袋体の内部に挿入された状態となり、シャンプー時における水滴の飛散を完全に防止することができる。
【００１１】
また、特許文献２に開示されている携帯式シャンプー椅子によれば、シャンプー椅子の構造が簡易かつ軽量となり、各家庭や施設などで散髪や洗髪を行う際に、美容師や理容師、介助者などが手軽に持ち運ぶことができる。
【００１２】
しかしながら、特許文献１に開示されているシャンプーハットにおいては、ハットの内周縁部に沿ってゴム材を縫着して構成した締め具によって頭髪部分を袋体の内部に位置させながら、両手を袋体の内部に挿入して洗髪を行う必要があり、洗髪作業が極めて煩雑であるといった課題がある。
【００１３】
また、特許文献２に開示されている携帯式シャンプー椅子においては、洗髪台の水受け部を形成するシート状材料で形成されたシート材が椅子の背もたれ部の上部を覆う覆い部を有し、この覆い部によって洗髪台が椅子に取付けられており、洗髪台のみを各家庭や施設などの任意の場所で使用することができないといった課題がある。
【００１４】
また、たとえば洗髪台のみを各家庭や施設などの任意の場所で使用することができれば、散髪や洗髪のほか、たとえば洗面やその他の身体部分の洗浄、各種汚れ物の洗浄などにもその洗髪台を適用し得ると考えられる。
【００１５】
本考案は上記する課題に鑑みてなされたものであり、各家庭や施設などで散髪や洗髪、洗面、その他の身体部分の洗浄、各種汚れ物の洗浄などを行う際に、美容師や理容師、介助者などの使用者が手軽に持ち運ぶことができると共に、各家庭や施設などの任意の場所で簡便に使用することのできる洗浄台を提供することを目的とする。
【課題を解決するための手段】
【００１６】
前記目的を達成すべく、本考案による洗浄台は、フレキシブルなシート状部材からなる凹形状の容器と、前記容器を取付け対象に取付けるために該容器に接続され、取付け対象の外周寸法に応じて周方向の長さを調整自在となっているベルトと、前記容器の外形を保持するために該容器のうち少なくとも前記ベルトとの接続部以外の部分の外縁に沿って配置されるフレームと、を備えているものである。
【００１７】
上記する形態によれば、取付け対象の外周寸法に応じて周方向の長さを調整自在となっているベルトを用いてシート状部材からなる容器を取付け対象に取付けることができるため、様々な形状や大きさの取付け対象に対して確実に容器を取付けることができる。また、前記ベルトとの接続部以外の部分の外縁に沿って配置されるフレームによって容器の外形を保持することができるため、使用者（例えば美容師や理容師、介助者など）は各家庭や施設などの任意の場所で簡便に当該洗浄台を使用することができる。
【００１８】
ここで、容器を取付けるための取付け対象は、ベルトを周方向で巻付けることができれば任意のものを適用することができ、たとえば各家庭や施設などの柱や家具（椅子や机など）、散髪や洗髪を行う美容師や理容師、介助者など、散髪や洗髪などを行ってもらう者、洗い物などを行う者などの胴体部分などを挙げることができる。
【００１９】
また、フレキシブルなシート状部材からなる容器の形成素材としては、たとえばポリ塩化ビニール（PVC）、ポリエチレン（PE）、ポリプロピレン（PP）などの合成樹脂などを挙げることができ、たとえば天然繊維やポリエステルなどからなるシート状部材に耐水加工を施してもよい。
【００２０】
また、容器の外形を保持するフレームの形成素材としては、たとえばポリ塩化ビニール（PVC）、ポリエチレン（PE）、ポリプロピレン（PP）、ポリアミド（PA）、ポリイミド（PI）、ポリアセタール（POM）、ポリカーボネート（PC）、ポリエチレンテレフタレート（PET）、ポリブチレンテレフタレート（PPB)、ＡＢＳ樹脂などの合成樹脂、アルミニウム（Al）、マグネシウム（Mg）合金などの金属、木材などを挙げることができる。
【００２１】
また、上記する洗浄台は、前記フレームのうち前記容器の中心に対して前記接続部と対向する部分に、容器の外縁に沿って配置されるフレームによって形成される平面に対して垂直方向であって、かつ容器の底部方向へ延びる脚部が設けられていることが好ましい。
【００２２】
上記する形態によれば、前記ベルトを介して容器を取付け対象に取付けるとともに、容器の底部方向へ延びる脚部によって前記フレームのうちの前記ベルトとの接続部と対向する部分を支持することができるため、使用者は当該洗浄台を容易に安定した姿勢で使用することができる。
【００２３】
また、前記脚部の端部に該脚部に対して垂直方向へ延びる延設部が設けられていれば、容器の底部方向へ延びる前記脚部の傾きを安定させることができるため、使用者は当該洗浄台をより一層安定した姿勢で使用することができる。
【００２４】
また、上記する洗浄台は、前記脚部が伸縮自在となっていることが好ましい。
【００２５】
上記する形態によれば、前記脚部を伸縮させることによって、ベルトを介して取付け対象に取付けられた容器の高さを任意に調整することができる。また、たとえば脚部の端部を支持する支持面が各家庭や施設などの場所に応じて変化する場合であっても、前記脚部を伸縮させることによって、各家庭や施設などの任意の場所で前記脚部の端部と前記支持面とを当接させることができるため、使用者は各家庭や施設などの任意の場所で当該洗浄台を安定した姿勢で使用することができる。
【００２６】
また、上記する洗浄台は、前記取付け対象に対する前記容器の位置を規定するために、前記フレームのうち前記容器の中心に対して対称となる部分に両端部が接続される別途のベルトを備えており、該別途のベルトを介して前記フレームが前記取付け対象に支持されていることが好ましい。
【００２７】
上記する形態によれば、前記ベルトを介して容器を取付け対象に取付けるとともに、容器の中心に対して対称となる部分に両端部が接続される別途のベルトを用いてフレームを所定の位置に支持することができるため、使用者は簡単な構成でもって当該洗浄台を安定した姿勢で使用することができる。なお、別途のベルトの長さを調整することによって、前記取付け対象に対する前記容器の位置を調整することもできる。
【００２８】
ここで、たとえば取付け対象が、美容師や理容師、介助者など、散髪や洗髪を行ってもらう者、洗い物などを行う者などである場合には、前記別途のベルトをそれらの者の首の周りに周回させることによって、当該別途のベルトによって洗浄台のフレームを任意の位置で支持することができる。
【００２９】
また、上記する洗浄台は、前記容器は平面視で多角形状を呈しており、前記フレームは該多角形状を形成する容器の各辺に対応する分割片から構成されていることが好ましい。たとえば容器が平面視で正方形状や矩形状を呈している場合には、前記フレームは、容器の各辺を形成する４つの分割片や、それぞれが容器の２つの辺を形成する２つの分割片などから構成することができる。また、容器が平面視で六角形状を呈している場合には、前記フレームは、容器の各辺を形成する６つの分割片や、それぞれが容器の２つの辺を形成する３つの分割片、それぞれが容器の３つの辺を形成する２つの分割片などから構成することができる。
【００３０】
上記する形態によれば、たとえば使用者が洗浄台を各家庭や施設などに持ち運んだり、倉庫などに保管する際に、長尺物となり得るフレームを容器の各辺に対応する分割片毎に分割することができるため、洗浄台の持ち運び時や保管時の大きさを小型化することができる。
【００３１】
また、上記する洗浄台は、前記フレームのうち前記容器の中心に対して前記接続部と対向する部分にクッション材が配設されていることが好ましい。
【００３２】
上記する形態によれば、たとえばベルトによって容器を取付け対象に取付け、容器とベルトとの接続部の反対側から使用者が洗髪や洗い物などの作業を行ったり、散髪や洗髪などを行ってもらう者が頭を容器に近づける場合に、フレームによる使用者への衝撃を緩和することができるため、洗浄台の使用時の快適性を格段に高めることができる。
【考案の効果】
【００３３】
以上の説明から理解できるように、本考案の洗浄台によれば、各家庭や施設などで散髪や洗髪、洗面、その他の身体部分の洗浄、各種汚れ物の洗浄などを行う際に、使用者が手軽に持ち運ぶことができると共に、当該洗浄台を各家庭や施設などの任意の場所で簡便に使用することができる。
【図面の簡単な説明】
【００３４】
【図１】本考案の洗浄台の実施の形態１を模式的に示した斜視図である。
【図２】図１で示す洗浄台の製造工程を説明した斜視図であって、（ａ）は容器を構成するシート状部材を裁断する工程を説明した図であり、（ｂ）は図２（ａ）で示すシート状部材を組立てて容器中間体を形成する工程を説明した図であり、（ｃ）は図２（ｂ）で示す容器中間体にパイプとベルトを組付ける工程を説明した図であり、（ｄ）は図２（ｃ）で示すパイプとベルト同士を組付ける工程を説明した図である。
【図３】図１で示す洗浄台の装着手順の一例を示した図であって、（ａ）は用意するベルトを示した図であり、（ｂ）はベルトを取付ける手順を示した図であり、（ｃ）はベルトに容器を接続する手順を示した図であり、（ｄ）はベルトにフレームを接続する手順を示した図である。
【図４】図１で示す洗浄台の装着状態の一例を示した斜視図である。
【図５】図１で示す洗浄台の使用状態の一例を示した斜視図である。
【図６】本考案の洗浄台の実施の形態２を模式的に示した斜視図である。
【図７】図６で示す洗浄台のフレームと脚部の構成を示した斜視図である。
【図８】図６で示す洗浄台の使用状態の一例を示した斜視図である。
【図９】図６で示す洗浄台の使用状態の他例を示した斜視図である。
【図１０】本考案の洗浄台の実施の形態３を模式的に示した斜視図である。
【図１１】図１０で示す洗浄台のフレームの構成を示した斜視図である。
【図１２】図１０で示す洗浄台の装着手順と装着状態の一例を示した斜視図であって、（ａ）は装着手順の一例を示した図であり、（ｂ）は装着状態の一例を示した図である。
【図１３】図１０で示す洗浄台の使用状態の一例を示した斜視図である。
【図１４】図１で示す洗浄台の容器の他の使用例を模式的に示した図であって、（ａ）はその全体構成を模式的に示した斜視図であり、（ｂ）は図１４（ａ）のＢ方向矢視図であり、（ｃ）は図１４（ａ）のＣ−Ｃ矢視図である。
【図１５】図１４（ａ）で示す支持台に洗浄台の容器を取付けた際の使用状態の一例を示した斜視図である。
【考案を実施するための形態】
【００３５】
以下、図面を参照して本考案の洗浄台の実施の形態を説明する。
【００３６】
［実施の形態１］
まず、図１〜図５を参照して、本考案の洗浄台の実施の形態１を説明する。図１は、本考案の洗浄台の実施の形態１を模式的に示した斜視図である。
【００３７】
図示する洗浄台１００は、主として、フレキシブルなシート状部材からなる凹形状の容器１０と、容器１０を取付け対象に取付けるために容器１０に接続され、取付け対象の外周寸法に応じて周方向の長さを調整自在となっているベルト２０と、容器１０の外形を保持するために容器１０のベルト２０との接続部９以外の部分の外縁に沿って配置されるフレーム３０と、を備えている。
【００３８】
容器１０は、平面視で略矩形状（例えば幅Ｗ：550mm、長さＬ：480mm）の底部１と、この底部１の周囲の四辺から底部１に対して垂直な方向へそれぞれ立設する側部２と、を有しており、底部１の略中央部には、洗髪や洗い物などをした際の洗浄水などを容器１０の外部へ排出するための排出口３が形成されている。なお、排出口３を介して容器１０の外部へ排出された洗浄水などは、不図示の排水管を介して給排水用貯水タンクなどへ排出されるようになっている。
【００３９】
また、底部１の周囲から立設する側部２は、ベルト２０と接続される側部２ａと、容器１０の中心に対してベルト２０との接続部９を有する前記側部２ａと対向する側部２ｃと、側部２ａと側部２ｃを繋ぐ側部２ｂ、２ｄと、を有しており、隣接する側部２同士は溶着部４によって溶着接合され、容器１０の内部に注がれた洗浄水などが隣接する側部２同士の間から容器１０の外部へ漏出しないようになっている。また、各側部２の上端側には、各側部２の上端部を容器１０の外側へ折り返すと共に、その折り返された各側部２の上端部を各側部２の中央近傍で面ファスナー５ａ、５ｂ（図２（ｂ）参照）で固定することによって、所定の大きさの内部空間を備えた円管が形成されている。
【００４０】
そして、側部２ａの上端側に形成された円管を通るようにベルト２０が配置され、側部２ｃの上端側に形成された円管内にクッション材２１を巻付けたパイプ（分割片）２３が配置され、側部２ｂ、２ｄの上端側に形成された円管内にパイプ（分割片）２２、２４が配置されている。
【００４１】
側部２ａの上端側に配置されたベルト２０は、その両端部１１ａ、１１ｂに長手方向（周方向）に所定の長さを有する面ファスナー１２ａ、１２ｂを有しており、ベルト２０を巻付ける取付け対象の外周寸法（例えば外径）に応じて面ファスナー１２ａ、１２ｂの固定位置を調整することによって、ベルト２０の周方向の長さを調整できるようになっている。
【００４２】
また、上記するベルト２０は、容器１０の側部２ａとの接続部９の外側で且つ側部２ｂ、２ｄの上端側に配置されたパイプ２２、２４のベルト２０側の端部２２ａ、２４ａの近傍にＯリング１３ａ、１３ｂが取付けられ、そのＯリング１３ａ、１３ｂとパイプ２２、２４のベルト２０側の端部２２ａ、２４ａに取付けられたフック２６、２８とが接続されることによって、ベルト２０とパイプ２２、２４が接続されると共に、容器１０やフレーム３０に対するベルト２０の位置がおおよそ規定されるようになっている。
【００４３】
また、側部２ｃの上端側に配置されたパイプ２３の端部２３ａ、２３ｂと、パイプ２２、２４のベルト２０側とは反対側の端部２２ｂ、２４ｂとの間にはそれぞれエルボー２５、２７が配設されており、エルボー２５によってパイプ２３の端部２３ａとパイプ２２の端部２２ｂが接続され、エルボー２７によってパイプ２３の端部２３ｂとパイプ２４の端部２４ｂが接続されることによって、略コの字状のフレーム３０が容器１０の上端側の外縁に沿って形成されて容器１０の外形が規定されている。
【００４４】
なお、図示例では、側部２ａの上端側に配置されたベルト２０によって側部２ａ側の剛性を保持することができるといった理由や、ベルト２０を取付け対象に取付けた際にその取付け対象の剛性によって側部２ａ側の剛性を保持することができるといった理由、取付け対象が美容師や理容師、介助者などの人である場合に側部２ａの剛性が高すぎると人が不快に感じるといった理由などから、側部２ａに硬質のパイプを配置していないものの、側部２ａ側の剛性を高める必要がある場合には、側部２ｂ〜２ｄと同様、側部２ａの上端側に形成される円管内にパイプを配置し、そのパイプと側部２ｂ、２ｄの上端側に配置されたパイプ２２、２４の端部２２ａ、２４ａを接続して、無端状のフレームを形成してもよい。
【００４５】
図２は、図１で示す洗浄台の製造工程を説明した斜視図であって、図２（ａ）は容器を構成するシート状部材を裁断する工程を説明した図であり、図２（ｂ）は図２（ａ）で示すシート状部材を組立てて容器中間体を形成する工程を説明した図であり、図２（ｃ）は図２（ｂ）で示す容器中間体にパイプとベルトを組付ける工程を説明した図であり、図２（ｄ）は図２（ｃ）で示すパイプとベルト同士を組付ける工程を説明した図である。
【００４６】
まず、図２（ａ）で示すように、例えばビニール製の基材から容器１０の底部１に対応する部分と側部２に対応する部分を有する略十字形のシート状部材を不図示の裁断装置で裁断して切り出す。その際、そのシート状部材の略中央部（容器１０の底部１に対応する部分の略中央部）に排水口３を構成する開口も裁断する。たとえば、容器１０の底部１に対応する部分は550mm×480mmの矩形状とし、側部２ａ、２ｃに対応する部分は550mm×300mmの矩形状とし、側部２ｂ、２ｄに対応する部分は480mm×230mmの矩形状などとすることができる。
【００４７】
次いで、図２（ｂ）で示すように、図２（ａ）で示す略十字形のシート状部材の側部２に対応する部分を底部１に対して垂直な位置まで立ち上げ、隣接する側部２の端部同士（容器１０の角部）を不図示の高周波シーラーによって溶着して略凹形状の立体形状を形成する。例えばベルト２０が配置される側部２ａ側では、底部１から100mmまでの範囲を溶着し、ベルト２０が配置される側部２ａと対向する側部２ｃ側では、底部１から180mmまでの範囲を溶着することができる。なお、底部１に対して立ち上げた側部２の外周面の上端部と、側部２の外周面のうち高周波シーラーによって溶着される溶着部４の略中央の高さに相当する部分には、それぞれ側部２に対して接着剤や溶着などで面ファスナー５ａ、５ｂを貼り付けておく。
【００４８】
次に、両端部１１ａ、１１ｂに面ファスナー１２ａ、１２ｂを接着剤や縫製などで貼り付けると共に、所定の位置にＯリング１３ａ、１３ｂ（Ｏリング１３ａ、１３ｂ同士の間隔は容器１０の幅Ｗと同等もしくはその幅よりも僅かに大きい）を取付けたベルト２０と、例えばシリコンゴム製のクッション材２１を巻付けた容器１０の幅Ｗと同等の長さの塩化ビニール製のパイプ２３と、ベルト２０側の端部２２ａ、２４ａにフック２６、２８を取付けた容器１０の長さＬと同等の長さの塩化ビニール製のパイプ２２、２４（パイプ２２は不図示）と、を用意する。なお、パイプ２３の両端部２３ａ、２３ｂにはそれぞれ塩化ビニール製のエルボー２５、２７を接続しておく。
【００４９】
図２（ｃ）で示すように、底部１に対して垂直な位置まで立ち上げた側部２のうち側部２ａの面ファスナー同士の間に側部２ａの外周面と当接させるようにベルト２０を配置し（その際、Ｏリング１３ａ、１３ｂがそれぞれ側部２ａの外周面の外側に配置されるように）、側部２ａの上端部を外側へ折り返して面ファスナー同士を結合し、側部２ａの外周面によって形成された空間内にベルト２０のＯリング１３ａ、１３ｂの間の部分が通るようにベルト２０を配置してベルト２０と容器１０とを接続する。
【００５０】
また、底部１に対して垂直な位置まで立ち上げた側部２のうち側部２ｃの面ファスナー５ａ、５ｂ同士の間にクッション材２１を巻付けたパイプ２３を配置し、側部２ｃの上端部を外側へ折り返して面ファスナー５ａ、５ｂ同士を結合し、側部２ｃの外周面によって形成された空間内にパイプ２３を配置する。
【００５１】
さらに、底部１に対して垂直な位置まで立ち上げた側部２のうち側部２ｂ、２ｄの面ファスナー５ａ、５ｂ同士の間にパイプ２２、２４を配置し、側部２ｂ、２ｄの上端部を外側へ折り返して面ファスナー５ａ、５ｂ同士を結合し、側部２ｂ、２ｄの外周面によって形成された空間内にパイプ２２、２４を配置する。
【００５２】
そして、図２（ｄ）で示すように、ベルト２０に取付けられたＯリング１３ａ、１３ｂとパイプ２２、２４のベルト２０側の端部２２ａ、２４ａに取付けられたフック２６、２８を接続し、ベルト２０とパイプ２２、２４を接続すると共に、容器１０に対するベルト２０の位置を規定する。また、パイプ２３の両端部２３ａ、２３ｂに接続されたエルボー２５、２７とパイプ２２、２４のベルト２０側とは反対側の端部２２ｂ、２４ｂを接続し、略コの字状のフレーム３０を容器１０の上端側の外縁に沿って形成して容器１０の外形を規定する。
【００５３】
次に、図３〜図５を参照して、図１で示す洗浄台の具体的な使用方法を説明する。なお、図３〜図５では、洗浄台１００の取付け対象を美容師や理容師、介助者などの洗髪作業者ＨＡとし、洗浄台１００をシャンプー台として用いてお年寄りや病人、怪我人などの洗髪対象者ＨＢの散髪や洗髪を行う使用方法について説明する。
【００５４】
図３は、図１で示す洗浄台の装着手順の一例を示した図であって、図３（ａ）は用意するベルトを示した図であり、図３（ｂ）はベルトを取付ける手順を示した図であり、図３（ｃ）はベルトに容器を接続する手順を示した図であり、図３（ｄ）はベルトにフレームを接続する手順を示した図である。また、図４は、図１で示す洗浄台の装着状態の一例を示した斜視図である。
【００５５】
まず、洗髪作業者ＨＡは、図３（ａ）で示すように、自分の腰周りに応じた長さのベルト２０を用意する。ここで、ベルト２０には、予めＯリング１３ａ、１３ｂを所定位置に取付けておく。なお、図示例では、表面側の面ファスナー１２ｂがベルト２０の略全体に亘って貼り付けられている。
【００５６】
次いで、洗髪作業者ＨＡは、図３（ｂ）で示すように、図３（ａ）で示すベルト２０を自分の腰周りに周回させ、自分の腰周りの寸法（外周寸法）に応じた周方向長さとなるように面ファスナー１２ａ、１２ｂでベルト２０を腰部に取付ける。
【００５７】
次に、洗髪作業者ＨＡは、図３（ｃ）で示すように、予め外縁に沿ってフレーム３０を配置した洗浄台１００の容器１０の側部２ａ側を自分の腰部に押し当て、手で容器１０の位置を維持しながら容器１０の側部２ａ側とベルト２０を接続して当該容器１０を腰部周りに配置する。ここで、図示例では、側部２ａに硬質のパイプなどを配置していないため、側部２ａを腰部の形状に沿うように変形させながら容器１０を腰部周りに配置することができ、洗浄台１００の容器１０を自分の腰部に密着させることができる。
【００５８】
そして、洗髪作業者ＨＡは、図３（ｄ）で示すように、Ｏリング１３ａ、１３ｂとフック２６、２８を接続し、ベルト２０とフレーム３０のパイプ２２、２４を接続することによって、図４で示すように、自分の腰部周りに洗浄台１００を装着することができる。
【００５９】
図５は、図１で示す洗浄台の使用状態の一例を示した斜視図である。
【００６０】
図示するように、洗髪作業者ＨＡが洗髪対象者ＨＢの散髪や洗髪を行う際には、着座姿勢の洗髪対象者ＨＢに対して洗浄台１００の位置が合うように、洗髪作業者ＨＡは洗髪対象者ＨＢに対面して椅子に着座する。ここで、洗髪作業者ＨＡが着座姿勢で散髪や洗髪を行う場合、自分の脚部で洗浄台１００の容器１０の底部１などを支持することができるため、容器１０の位置を維持するための手などに対する負担を低減することができる。
【００６１】
洗髪作業者ＨＡが洗髪対象者ＨＢに対面して着座した状態で、容器１０の側部２ｃ（図１参照）側から洗髪対象者ＨＢの頭部を容器１０の底部１上に位置してもらうことによって、洗髪作業者ＨＡは洗髪対象者ＨＢの散髪や洗髪を行うことができる。ここで、上記するように、容器１０の側部２ｃの上端側に配置されたパイプ２３にはクッション材２１が配設されており、フレーム３０を構成するパイプ２３による洗髪対象者ＨＢへの衝撃を緩和することができる。なお、容器１０の側部２ｃの上端側に硬質のパイプ２３が配置されていない場合には、容器１０の幅Ｗを調整することによって容器１０の側部２ｃの形状を調整することができ、たとえば洗髪対象者ＨＢの首形状に合うように容器１０の側部２ｃの上端側を湾曲状に形成することもできる。
【００６２】
また、散髪や洗髪を行う最中に洗髪対象者ＨＢの頭部が移動する場合には、洗髪作業者ＨＡはその移動に追従して洗浄台１００の容器１０を自由に移動させることができるため、洗髪作業中の洗浄水などが容器１０の外部へ漏出することを抑止することができ、散髪作業や洗髪作業を円滑に行うことができると共に、その周囲が洗浄水などで汚れてしまうことを抑制することができる。
【００６３】
散髪作業や洗髪作業が完了すると、洗髪作業者ＨＡは容器１０内の底部１や側部２に付着した水分や汚れを拭き取り、排水口３に連結された排水管（不図示）を取り外した後、腰部に取付けたベルト２０を外し、ベルト２０とパイプ２２、２４を接続するためのＯリング１３ａ、１３ｂとフック２６、２８を分離し、パイプ２３の両端部２３ａ、２３ｂに接続されたエルボー２５、２７とパイプ２２、２４の端部２２ｂ、２４ｂを分離する。そして、ベルト２０やパイプ２２、２３、２４が容器１０の側部２ａ〜２ｄの外周面によって形成された空間内に配置された状態で容器１０を所定の形状に折り畳み、洗浄台１００をコンパクトにして持ち運ぶ。
【００６４】
なお、図示例では、着座姿勢の洗髪対象者ＨＢに対して洗髪作業者ＨＡが着座姿勢で散髪や洗髪を行う場合について説明したが、洗髪作業者ＨＡは起立姿勢で散髪や洗髪を行ってもよい。また、図示例では、洗髪対象者ＨＢに対面して着座した洗髪作業者ＨＡが散髪や洗髪を行う場合について説明したが、洗髪作業者Ｈは洗浄台１００の位置を維持し、他の洗髪作業者が洗髪対象者ＨＢの散髪や洗髪を行ってもよい。また、図示例では、洗髪対象者ＨＢに対面して着座した洗髪作業者ＨＡに洗浄台１００を取付けて散髪や洗髪を行う場合について説明したが、洗浄台１００は各家庭や施設などの柱や家具（椅子や机など）に取付け、洗髪作業者ＨＡが手で容器１０の位置を維持しながら洗髪対象者ＨＢの散髪や洗髪を行ってもよい。
【００６５】
このように、本実施の形態１によれば、取付け対象の外周寸法に応じて周方向の長さを調整自在となっているベルト２０を用いることによって、様々な形状や大きさの取付け対象に対して確実に容器１０を取付けることができ、使用者（例えば美容師や理容師、介助者など）は各家庭や施設などの任意の場所で簡便に当該洗浄台１００を使用することができる。
【００６６】
［実施の形態２］
次に、図６〜図９を参照して、本考案の洗浄台の実施の形態２を説明する。図６は、本考案の洗浄台の実施の形態２を模式的に示した斜視図である。
【００６７】
図６で示す実施の形態２の洗浄台２００は、図１で示す実施の形態１の洗浄台１００に対して、フレームを支持するための脚部を備えている点が相違しており、その他の構成は図１で示す実施の形態１の洗浄台１００と同様である。したがって、図１で示す実施の形態１の洗浄台１００と同様の構成については、同様の符号を付してその詳細な説明を省略する。
【００６８】
図示する洗浄台２００は、主として、フレキシブルなシート状部材からなる凹形状の容器１０と、容器１０を取付け対象（図中、パイプ椅子）に取付けるために容器１０に接続され、取付け対象の外周寸法に応じて周方向の長さを調整自在となっているベルト２０と、容器１０の外形を保持するためにベルト２０との接続部９以外の部分の外縁に沿って配置されるフレーム３０と、を備えている。
【００６９】
本実施の形態２では、フレーム３０を構成するパイプ２２〜２４のうち容器１０の底部１の中心Ｃに対して接続部９と対向する部分のパイプ２３、特にそのパイプ２３の略中央部に、容器１０の上端側の外縁に沿って配置されるフレーム３０によって形成される平面Ｐ（図中、略水平な平面）に対して垂直方向（図中、鉛直方向）であって容器１０の底部１方向へ延びる脚部パイプ２９が設けられている。なお、容器１０の底部１の中心Ｃとは、図示例のように底部１が平面視で矩形状を呈する場合にはその幅方向および長さ方向の中心であり、例えば底部１が平面視で多角形状や円形形状、楕円形状を呈する場合にはその底部１の重心などとすることができる。
【００７０】
また、脚部２９の先端部２９ａには、この脚部２９に対して垂直方向、より具体的には容器１０の幅方向へ延びる延設部３１が設けられ、この延設部３１が例えば各家庭や施設などの床や地面などと当接するようになっている。
【００７１】
図７は、図６で示す洗浄台２００の容器１０やベルト２０を省略したフレーム３０と脚部パイプ２９の構成を示した斜視図である。
【００７２】
図示するように、ベルト２０との接続部９と対向する部分のパイプ２３の略中央部には、ジョイント３３ａを介して鉛直下方へ向かって脚部パイプ２９が接続され、脚部パイプ２９の鉛直下方の先端部２９ａには、ジョイント３３ｂを介して容器１０の幅方向（パイプ２３と略平行な方向）へ延びる延設部３１が接続されている。ここで、脚部パイプ２９は伸縮自在となっており、延設部３１を当接させる各家庭や施設などの床や地面などの位置に応じてその長さを調整できるようになっている。
【００７３】
図８は、図６で示す洗浄台の使用状態の一例を示した斜視図である。なお、図８では、洗浄台２００の取付け対象をパイプ椅子ＨＣとし、洗浄台１００をシャンプー台として用いて美容師や理容師、介助者などの洗髪作業者ＨＡがお年寄りや病人、怪我人などの洗髪対象者ＨＢの散髪や洗髪を行う使用方法について説明する。
【００７４】
図示するように、洗髪作業者ＨＡが洗髪対象者ＨＢの散髪や洗髪を行う際には、たとえば洗浄台２００の容器１０の側部２ａ側をパイプ椅子ＨＣに当接させ、側部２ａ側に配置されたベルト２０をパイプ椅子ＨＣの所定の箇所に周回させ、その寸法（外周寸法）に応じた周方向長さとなるように面ファスナー１２ａ、１２ｂでベルト２０を固定してパイプ椅子ＨＣに洗浄台２００を取付ける。なお、予めベルト２０のみをパイプ椅子ＨＣの所定の箇所に周回させ、その寸法に応じた周方向長さとなるように面ファスナー１２ａ、１２ｂでベルト２０を固定した後、洗浄台２００の容器１０の側部２ａ側をパイプ椅子ＨＣに当接させてベルト２０と容器１０を接続してもよい。また、図６に基づいて説明したように、ベルト２０との接続部９と対向する部分のパイプ２３に接続された脚部パイプ２９の長さを調整し、脚部パイプ２９の先端部２９ａに接続された延設部３１を各家庭や施設などの床や地面などに当接させ、洗浄台２００の容器１０の底部１が略水平となるように脚部パイプ２９と延設部３１によって洗浄台２００のフレーム３０を支持する。
【００７５】
このように洗浄台２００をパイプ椅子ＨＣに取付けた状態で、洗髪対象者ＨＢに容器１０の側部２ｃ（図６参照）側に着座してもらい、頭部を容器１０の底部１上に位置してもらうことによって、洗髪作業者ＨＡは洗髪対象者ＨＢの散髪や洗髪を行うことができる。ここで、上記するように、容器１０の側部２ｃの上端側に配置されたパイプ２３にはクッション材２１が配設されており、フレーム３０を構成するパイプ２３による洗髪対象者ＨＢへの衝撃を緩和することができる。
【００７６】
散髪作業や洗髪作業が完了すると、洗髪作業者ＨＡは容器１０内の底部１や側部２に付着した水分や汚れを拭き取り、排水口３に連結された排水管（不図示）を取り外した後、パイプ２３から脚部パイプ２９を分離し、パイプ椅子ＨＣからベルト２０を外し、ベルト２０とパイプ２２、２４を接続するためのＯリング１３ａ、１３ｂとフック２６、２８を分離し、パイプ２３の両端部２３ａ、２３ｂに接続されたエルボー２５、２７とパイプ２２、２４の端部２２ｂ、２４ｂを分離する。そして、ベルト２０やパイプ２２、２３、２４が容器１０の側部２ａ〜２ｄの外周面によって形成された空間内に配置された状態で容器１０を所定の形状に折り畳み、洗浄台２００をコンパクトにして持ち運ぶ。
【００７７】
なお、上記する実施の形態１と同様、洗浄台１００の取付け対象を美容師や理容師、介助者などの洗髪作業者ＨＡとする場合には、散髪や洗髪を行う最中に洗髪対象者ＨＢの頭部が移動する場合に、洗髪作業者ＨＡはその移動に追従して洗浄台２００の容器１０を自由に移動させることができるため、洗髪作業中の洗浄水などが容器１０の外部へ漏出することを抑止することができ、散髪作業や洗髪作業を円滑に行うことができると共に、その周囲が洗浄水などで汚れてしまうことを抑制することができる。
【００７８】
図９は、図６で示す洗浄台の使用状態の他例を示した斜視図である。
【００７９】
図示するように、洗髪作業者ＨＡが洗髪対象者ＨＢの散髪や洗髪を行う際には、洗浄台２００を取付けたパイプ椅子などに洗髪対象者ＨＢに着座してもらい、頭部を容器１０の側部２ａ（図６参照）側から底部１上に位置してもらうことによって、洗髪作業者ＨＡは、散髪や洗髪を行う際に使用する道具を削減しながら洗髪対象者ＨＢの散髪や洗髪を行うことができる。
【００８０】
このように、本実施の形態２によれば、ベルト２０との接続部９と対向する部分にフレーム３０を支持するための脚部パイプ２９や延設部３１を設けることによって、ベルト２０を取付け対象に取付けた際にベルト２０との接続部９と対向する部分が自重で鉛直下方へ移動することを抑止することができ、容器１０の位置を維持するための手などに対する負担を大幅に低減することができる。また、脚部パイプ２９の先端部２９ａに容器１０の幅方向へ延びる延設部３１を設けることによって、容器１０の長さＬ方向での傾きを確実に抑止することができ、洗浄作業中などにおける容器１０の姿勢を格段に安定化させることができる。
【００８１】
［実施の形態３］
次に、図１０〜図１３を参照して、本考案の洗浄台の実施の形態２を説明する。図１０は、本考案の洗浄台の実施の形態３を模式的に示した斜視図である。また、図１１は、図１０で示す洗浄台３００の容器１０やベルト２０、紐３８を省略したフレーム３０の構成を示した斜視図である。
【００８２】
図１０で示す実施の形態３の洗浄台３００は、図１で示す実施の形態１の洗浄台１００に対して、取付け対象に対する容器の位置を規定するための別途のベルトを備えている点が相違しており、その他の構成は図１で示す実施の形態１の洗浄台１００と同様である。したがって、図１で示す実施の形態１の洗浄台１００と同様の構成については、同様の符号を付してその詳細な説明を省略する。
【００８３】
図１０で示す洗浄台３００は、主として、フレキシブルなシート状部材からなる凹形状の容器１０と、容器１０を取付け対象に取付けるために容器１０に接続され、取付け対象の外周寸法に応じて周方向の長さを調整自在となっているベルト２０と、容器１０の外形を保持するためにベルト２０との接続部９以外の部分の外縁に沿って配置されるフレーム３０と、を備えている。
【００８４】
本実施の形態３では、図１１で示すように、フレーム３０を構成するパイプ２２、２４のベルト２０側の端部２２ａ、２４ａの近傍、およびエルボー２５、２７のパイプ２２、２４の端部２２ｂ、２４ｂの近傍にリング３２、３４、３５、３７が取付けられている。
【００８５】
上記するリング３２とリング３７、およびリング３４とリング３５は、図１０で示すように、それぞれ容器１０の中心（より具体的には、フレーム３０によって形成される平面Ｐに対して容器１０の底部１の中心Ｃを投影した点）に対して略対称となる位置に配置されており、リング３２とリング３７、あるいは、リング３４とリング３５が所定の長さの紐３８（別途のベルト）で接続されるようになっている。図示例では、紐３８の両端部にフック３９ａ、３９ｂが取付けられており、エルボー２５のパイプ２２の端部２２ｂの近傍のリング３５がフック３９ａと接続され、パイプ２４のベルト２０側の端部２４ａの近傍のリング３４がフック３９ｂと接続されることによって、リング３５とリング３４が紐３８で接続されている。この紐３８は、ベルト２０の取付け対象の周りを周回するようにして取付け対象に取付けられ（図１２および図１３参照）、紐３８とリング３２、３４、３５、３７などを介してパイプ２２、２４やエルボー２５、２７からなるフレーム３０が取付け対象に支持され、取付け対象に対する容器１０の位置（例えば、傾きなど）が規定されるようになっている。
【００８６】
図１２は、図１０で示す洗浄台の装着手順と装着状態の一例を示した斜視図であって、図１２（ａ）は装着手順の一例を示した図であり、図１２（ｂ）は装着状態の一例を示した図である。また、図１３は、図１０で示す洗浄台の使用状態の一例を示した斜視図である。なお、図１２および図１３では、洗浄台３００の取付け対象を美容師や理容師、介助者などの洗髪作業者ＨＡとし、洗浄台３００をシャンプー台として用いてお年寄りや病人、怪我人などの洗髪対象者ＨＢの散髪や洗髪を行う使用方法について説明する。
【００８７】
洗髪対象者ＨＢの散髪や洗髪を行うに当たり、洗髪作業者ＨＡは、図３および図４に基づいて説明したように、自分の腰部周りにベルト２０や容器１０を装着し、図１２（ａ）で示すように、紐３８の端部に取付けられたフック３９ａをエルボー２５のパイプ２２の端部２２ｂの近傍のリング３５と接続し、紐３８を自分の首部周りを周回させ、紐３８の他方の端部に取付けられたフック３９ｂをパイプ２４のベルト２０側の端部２４ａの近傍のリング３４と接続する。これにより、図１２（ｂ）で示すように、自分の首部周りを周回させた紐３８でフレーム３０を支持して容器１０の位置を規定しながら、自分の腰部周りに洗浄台３００を装着することができる。ここで、リング３５とリング３４は容器１０の中心Ｃに対して略対称となる位置に配置されており（図１０参照）、洗髪作業者ＨＡは、容器１０の位置を維持するための手などに対する負担を低減しながら、容器１０の姿勢を安定化させることができる。
【００８８】
洗髪対象者ＨＢの散髪や洗髪を行う際には、図１３で示すように、洗髪作業者ＨＡは洗髪対象者ＨＢに対面して椅子に着座し、容器１０の側部２ｃ（図１０参照）側から洗髪対象者ＨＢの頭部を容器１０の底部１上に位置してもらうことによって、洗髪作業者ＨＡは洗髪対象者ＨＢの散髪や洗髪を行うことができる。その際、紐３８の長さを調整することによって、着座姿勢の洗髪対象者ＨＢに対して洗浄台３００の位置を調整することができる。
【００８９】
また、上記する紐３８は、容器１０の側部２ｂ側と側部２ｄ側で容器１０の幅Ｗ方向（図１０参照）で見て異なる位置でフレーム３０に接続されているため、散髪や洗髪を行う最中に他の洗髪作業者の介助が必要となる場合には、紐３８によって他の洗髪作業者の動きが阻害されない方向（図１３中、フレーム３０のパイプ２４側の方向）から介助してもらうことによって、洗髪作業者ＨＡやそれを介助する他の洗髪作業者は散髪作業や洗髪作業を円滑に行うことができる。
【００９０】
散髪作業や洗髪作業が完了すると、洗髪作業者ＨＡは容器１０内の底部１や側部２に付着した水分や汚れを拭き取り、排水口３に連結された排水管（不図示）を取り外した後、首部から紐３８を外し、腰部に取付けたベルト２０を外し、ベルト２０とパイプ２２、２４を接続するためのＯリング１３ａ、１３ｂとフック２６、２８を分離し、パイプ２３の両端部２３ａ、２３ｂに接続されたエルボー２５、２７とパイプ２２、２４の端部２２ｂ、２４ｂを分離する。そして、ベルト２０やパイプ２２、２３、２４が容器１０の側部２ａ〜２ｄの外周面によって形成された空間内に配置された状態で容器１０を所定の形状に折り畳み、洗浄台３００をコンパクトにして持ち運ぶ。
【００９１】
このように、本実施の形態３によれば、フレーム３０のうち容器１０の中心に対して対称となる部分に紐３８の両端部を接続し、この紐３８を介してフレーム３０を取付け対象に支持することができるため、容器１０の位置を維持するための手などに対する負担を大幅に低減しながら、容器１０の姿勢を安定化させることができる。また、紐３８の長さを調整することによって、取付け対象に対する容器１０の位置を任意に調整することもできる。
【００９２】
図１４は、図１で示す洗浄台１００の容器１０の他の使用例を模式的に示した図であって、図１４（ａ）はその全体構成を模式的に示した斜視図であり、図１４（ｂ）は図１４（ａ）のＢ方向矢視図であり、図１４（ｃ）は図１４（ａ）のＣ−Ｃ矢視図である。また、図１５は、図１４（ａ）で示す支持台に洗浄台の容器を取付けた際の使用状態の一例を示した斜視図である。
【００９３】
図１４（ａ）で示す使用例では、支持台Ｆが、略コの字形状を呈する主フレームＦ１と、主フレームＦ１の側部から後方且つ下方に向かって延びていて当該主フレームＦ１を支持する脚部Ｆ２ａ、Ｆ２ｂと、主フレームＦ１の側部と脚部Ｆ２ａ、Ｆ２ｂに接続される略矩形状の支持フレームＦ３と、から構成されており、その支持フレームＦ３に容器１０の側部２ａ〜２ｄが接続されて支持されている。また、略コの字形状を呈する主フレームＦ１の下端部には、主フレームＦ１の形状を保持するための接続部Ｆ４が設けられ、脚部Ｆ２ａ、Ｆ２ｂの下端部には、脚部Ｆ２ａ、Ｆ２ｂ同士の間隔を保持するための接続部Ｆ５が設けられている。
【００９４】
なお、図１４（ａ）で示す支持台Ｆは、脚部Ｆ２ａ、Ｆ２ｂを主フレームＦ１の側部側（図中、Ｒ１方向）へ回動させることによって、支持フレームＦ３が主フレームＦ１側（図中、Ｒ２方向）へ回動され、支持台Ｆの体格が小さくなり、使用者が当該支持台Ｆを持ち運びし易い構成となっている。
【００９５】
図示する支持台Ｆの支持フレームＦ３に支持された容器１０を使用する際には、使用者は容器１０の側部２ｃ側から容器１０に近づいて、容器１０上で洗髪、洗面、洗い物などを行う。また、例えば、図１５で示すように、車椅子に乗った使用者が容器１０（容器１０高さが750mm程度）を使用する際には、使用者は車椅子の前輪が接続部Ｆ４を乗り超えるように容器１０の側部２ｃ側から容器１０に近づき、容器１０上で洗髪、洗面、洗い物などを行う。
【００９６】
上記する支持台Ｆを用いて容器１０を使用する場合、支持台Ｆの容器１０の側部２ｃ側の接続部Ｆ４は、使用者が容器１０へ近づく際の動きを阻害する可能性があることから、本使用例では、図１４（ｂ）、（ｃ）で示すように、接続部Ｆ４を上下方向で押圧して扁平状とし、接続部Ｆ４の上下方向の高さを低くして、たとえば車椅子の前輪が接続部Ｆ４を乗り超え易い構成としている。
【００９７】
このように、洗浄台１００の容器１０は、フレキシブルなシート状部材から構成されており、容器１０単品として様々な形態の支持台などに取付けて使用することが可能である。
【００９８】
なお、上記する実施の形態では、容器１０の底部１が平面視で略矩形状を呈し、容器１０の内部空間が略直方体形状を呈する形態について説明したが、たとえば容器１０の底部１は平面視で多角形状や円形形状、楕円形状であってもよい。また、容器１０の内部空間は、容器１０の上端側が多角形状や円形形状、楕円形状であって、下端側に向かって外径が小さくなるような略漏斗状であってもよい。
【００９９】
また、上記する実施の形態では、ベルト２０を巻付ける取付け対象の外周寸法に応じて両端部に取付けられた面ファスナー１２ａ、１２ｂの固定位置を調整することによって、ベルト２０の周方向の長さを連続的に調整する形態について説明したが、たとえばベルト２０にベルト穴を形成し、取付け対象の外周寸法に応じてそのベルト穴によって周方向の長さを段階的に調整してもよい。
【０１００】
以上、本考案の実施の形態を図面を用いて詳述してきたが、具体的な構成はこの実施形態に限定されるものではなく、本考案の要旨を逸脱しない範囲における設計変更等があっても、それらは本考案に含まれるものである。
【符号の説明】
【０１０１】
１  底部
２、２ａ、２ｂ、２ｃ、２ｄ  側部
３  排出口
４  溶着部
５ａ、５ｂ  面ファスナー
９  接続部
１０  容器
１１ａ、１１ｂ  ベルトの端部
１２ａ、１２ｂ  面ファスナー
１３ａ、１３ｂ  Ｏリング
２０  ベルト
２１  クッション材
２２、２３、２４  パイプ（分割片）
２２ａ、２２ｂ、２３ａ、２３ｂ、２４ａ、２４ｂ  パイプの端部
２５、２７  エルボー
２６、２８  フック
２９  脚部パイプ
２９ａ  脚部パイプの先端部
３０  フレーム
３１  延設部
３２、３４、３５、３７  リング
３３ａ、３３ｂ  ジョイント
３８  紐（別途のベルト）
３９ａ、３９ｂ  フック
１００、２００、３００  洗浄台
Ｃ  容器の中心
Ｗ  容器の幅
Ｌ  容器の長さ
【図１】
0003179607.tif 000003
【図２】
0003179607.tif 000004
【図３】
0003179607.tif 000005
【図４】
0003179607.tif 000006
【図５】
0003179607.tif 000007
【図６】
0003179607.tif 000008
【図７】
0003179607.tif 000009
【図８】
0003179607.tif 000010
【図９】
0003179607.tif 000011
【図１０】
0003179607.tif 000012
【図１１】
0003179607.tif 000013
【図１２】
0003179607.tif 000014
【図１３】
0003179607.tif 000015
【図１４】
0003179607.tif 000016
【図１５】
0003179607.tif 000017